(57)【要約】      （修正有）【課題】簡易に所望するアクセサリーを取り外すことができ、さらには展示に供するアクセサリーの数が少ない場合の見栄えの劣化を有効に回避することができる展示用具を提供する。【解決手段】ブレスレットに挿通して、ブレスレッドを周側面に配置して展示に供する円筒形状による展示用具１０であって、ブレスレッドを周側面に配置可能な円筒形状による本体部１１と、本体部１１の下側端部に設けられて、他の展示用具１０の本体部１１の上側端の内周面に勘合して、展示用具１０を他の展示用具１０と接続とする接続部１２とを備える。【選択図】図１
0003184177.tif 000002
【実用新案登録請求の範囲】
【請求項１】
ブレスレットに挿通して、前記ブレスレッドを周側面に配置して展示に供する円筒形状による展示用具であって、
前記ブレスレッドを周側面に配置可能な円筒形状による本体部と、
前記本体部の下側端部に設けられて、他の展示用具の前記本体部の上側端の内周面に勘合して、当該展示用具を前記他の展示用具と接続とする接続部とを備えた
展示用具。
【請求項２】
前記接続部が、他の展示用具の内周面に勘合する、前記本体部より小径の円筒形状による部位である
請求項１に記載の展示用具。
【請求項３】
前記本体部には、下側端部を閉塞する底面が設けられた
請求項１又は請求項２に記載の展示用具。
【考案の詳細な説明】
【技術分野】
【０００１】
本考案は、展示用具に関し、例えばブレスレッド等のアクセサリーの展示用具に関する。
【背景技術】
【０００２】
従来より、ブレスレッド１の展示方法の１つとして、図６に示すように、円柱形状による展示用具２に挿通して、この展示用具２の周側面に一定の間隔で配置して展示する方法が採用されていた。なお展示用具２は、この図６に示すように、水平に保持されるように台座が作成される場合もあり、台座を排してテーブル等に縦置きにより保持される場合もある。
【０００３】
このような展示用具に関して、特許文献１には、この円柱形状による展示用具に関する工夫が提案されている。
【０００４】
ところでブレスレッド等のアクセサリーでは、顧客が装着して購入等を判断する場合が大多数である。このように顧客がアクセサリーを装着する場合、図６に示す展示用具では、手前側に配置されたアクセサリーを一点づつ全て取り外した後、顧客の所望するアクセサリーを取り外すことが必要になる。
【０００５】
これにより図６に示す展示用具では、アクセサリーの取り外しに著しく手間を要し、さらにはアクセサリーを傷つけたりする問題があった。また販売等により展示に供するアクセサリーが減少すると、著しく見栄えが悪くなる問題がある。
【先行技術文献】
【特許文献】
【０００６】
【特許文献１】実用新案登録第３０８０５９４号公報
【考案の概要】
【考案が解決しようとする課題】
【０００７】
本考案は、これらの問題点を考慮してなされたものであり、簡易に所望するアクセサリーを取り外すことができ、さらには展示に供するアクセサリーの数が少ない場合の見栄えの低下を有効に回避することができる展示用具を提案することを目的とする。
【課題を解決するための手段】
【０００８】
本考案者らは、個々にアクセサリーを展示可能に構成し、さらに他の展示用具と積層して一体化可能に展示用具を構成するとの着想を見出し、本考案を完成するに至った。
【０００９】
（１）  ブレスレットに挿通して、前記ブレスレッドを周側面に配置して展示に供する円筒形状による展示用具であって、
前記ブレスレッドを周側面に配置可能な円筒形状による本体部と、
前記本体部の下側端部に設けられて、他の展示用具の前記本体部の上側端の内周面に勘合して、当該展示用具を前記他の展示用具と積層可能とする接続部とを備える。
【００１０】
（１）によれば、それぞれ周側面にブレスレッドを配置してなる展示用具を多数積層して、従来と同様の展示方法により展示することができる。また展示用具の積層状態を解除することにより、展示用具毎、アクセサリーを個別に取り外すことができ、これにより簡易に所望するアクセサリーを取り外すことができる。またさらにアクセサリーの点数が少ない場合には、積層数を低減して無駄な空間の発生を防止することができ、これにより展示に供するアクセサリーの数が少ない場合の見栄えの低下を有効に回避することができる。
【００１１】
（２）  （１）において、
前記接続部が、他の展示用具の内周面に勘合する、前記本体部より小径の円筒形状による部位である。
【００１２】
（２）によれば、単に周側面に段差を設けるだけの簡易な構成により、展示用具を構成することができる。
【００１３】
（３）  （１）又は（２）において、
前記本体部には、下側端部を閉塞する底面が設けられる。
【００１４】
（３）によれば、本体部の内側にアクセサリーを収納してトレイとして使用することができ、さらにはケースに利用することができる。
【考案の効果】
【００１５】
本考案によれば、簡易に所望するアクセサリーを取り外すことができ、さらには展示に供するアクセサリーの数が少ない場合の見栄えの劣化を有効に回避することができる。
【図面の簡単な説明】
【００１６】
【図１】本考案の第１実施形態に係る展示用具示す図である。
【図２】図１をＡ−Ａ線により切り取って示す断面図である。
【図３】図１の展示用具の使用例を示す図である。
【図４】積層状態での使用例を示す図である。
【図５】本考案の第１実施形態に係る展示用具示す図である。
【図６】従来の展示方法の説明に供する図である。
【考案を実施するための形態】
【００１７】
以下、本考案の実施形態について
【００１８】
〔第１実施形態〕
図１は、本考案の第１実施形態に係る展示用具を示す斜視図であり、図２は、ＡーＡ線により切り取って示す断面図である。
【００１９】
この展示用具１０は、塩化ビニル、ポリエチレン等の樹脂を射出成型して作成され、円筒形状による本体部１１が設けられる。ここでこの本体部１１は、展示に供するブレスレッドを挿通して、周側面にこのブレスレッドを配置可能に構成され、これにより展示に供するブレスレッドに対応する直径により形成される。またこの実施形態において、この展示用具１０は、単品で１つのブレスレッドを展示することにより、本体部１１は、１つのブレスレッドの展示に供する高さＨにより作成される。
【００２０】
これにより図３に示すように、この展示用具１０は、ブレスレッド１を本体部１１に挿通することにより展示用具１０にブレスレッド１を配置でき、さらにこのようにしてブレスレッド１を配置して個々にブレスレッドを展示することができる。なおこれにより図１において破線により示すように、ブレスレッド１の位置決め用、脱落防止用に凹溝１１Ａ等を周側面に設けるようにしてもよい。
【００２１】
さらに展示用具１０は、この本体部１１の下側端部に、接続部１２が設けられる（図１及び図２）。ここで接続部１２は、他の展示用具１０の本体部１１の上側端の内周面に勘合して、当該展示用具１０を他の展示用具と接続する構成である。
【００２２】
これにより展示用具１０は、図４に示すように、複数の展示用具１０（１０Ａ、１０Ｂ、１０Ｃ）を積層して一体に保持できるように構成され、このようにして積層した展示用具１０（１０Ａ、１０Ｂ、１０Ｃ）にそれぞれブレスレッドを配置して、図６について上述した従来構成による場合と同様に、個々のブレスレッドを容易に見て取れることができるようにして、少ない展示スペースで多数のブレスレッドを展示することができる。なおこのように展示用具１０の積層により複数のブレスレッド１を展示する場合、図６に示す台座の構成を設けた円筒形状による部材を間に挟んで積層することにより、例えば水平により保持して展示することも可能である。またこのような水平に保持した展示用の部材にあっては、展示用具１０の積層体の両端に設けるようにしてもよい。
【００２３】
このように展示して例えば中央に配置している展示用具１０Ｂに配置したブレスレッドを取り外す場合、この実施形態では、展示用具１０（１０Ａ、１０Ｂ、１０Ｃ）の積層体から展示用具１０Ａ又は１０Ｃを取り外すだけの簡易な操作により、展示用具１０Ｂに配置したブレスレッド１を取り外すことができる。これにより簡易に所望するアクセサリーを取り外すことができる。またこのように取り外して、元に戻す場合でも、単にアクセサリーを展示用具１０Ｂに装着して積層し直すだけの簡易な操作により元の状態に戻すことができる。
【００２４】
またブレスレッドの販売により展示するブレスレッドが少なくなった場合には、その分、積層する展示用具１０の数を減らすことにより、無駄なスペースの発生を有効に回避して見栄えの劣化を防止することができる。またさらにブレスレッド１の配置が乱れないようにすることもでき、これによっても見栄えの劣化を防止することができる。
【００２５】
またさらに積層する数の調整により、展示に供する陳列ケース、棚等のサイズに合わせて全体の大きさを調整することができ、これにより効率的にブレスレッドを展示することができ、さらに種々に視覚的効果を図った陳列を実施することができる。
【００２６】
ここでこの実施形態において、接続部１２は、他の展示用具１９の本体部１１の内周面に勘合する、本体部１０より小径の円筒形状により形成される。これにより展示用具１０は、簡易な構成により接続部１２を構成して、単に、押し込んだり、引く抜いたりするだけの簡易な操作により、展示用具１０を積層して接続し、さらには個々に分離することができる。
【００２７】
さらに展示用具１０は、本体部１１に、下側端部を閉塞する底面１３が設けられる（図１及び図２）。これにより展示用具１０は、図５に示すように、トレイとして使用して本体部１１の内側にアクセサリーを収納し、さらにはこのように収納した状態で展示に利用することができる。
【００２８】
さらにこの実施形態では、この展示用具１０をスッポリ収納する収納ケース２１が用意される。ここで収納ケース２１は、底面２２が二重底により形成され、この二重底による底面２２に、接続部１２をスッポリ収納する円形形状による凹部２３が設けられる。
【００２９】
これにより展示用具１０は、このケース２１に収納すると共に、本体部１１の内側にブレスレッド１を収納して、ブレスレッド１のケースとして使用することができ、例えばこの状態で展示したり、さらには上蓋を設けてパッケージングに利用することができ、一段と使い勝手を向上することができる。
【００３０】
またさらに展示用具１０は、積層した際に、底面１３の上に一定の高さによる空間が形成されるように、本体部１１の高さに対して接続部１２の高さが設定され、これにより図５に示すように本体部１１の内部にブレスレッドを収納した状態で積層してブレスレッドを保管等することができ、これによっても一段と使い勝手を向上することができる。
【００３１】
〔他の実施形態〕
以上、本考案の実施に好適な具体的な構成を詳述したが、本考案は、本考案の趣旨を逸脱しない範囲で、上述の実施形態の構成を種々に変更することができる。
【００３２】
すなわち上述の実施形態では、本体部より小径の円筒形状により接続部を構成する場合について述べたが、本考案はこれに限らず、例えはこの円筒形状を一定の角間隔により切欠いた形状により接続部を構成する場合、さらには本体部に螺合する構成により接続部を構成する場合等、接続部の構成にあっては、種々の構成を適用することができる。
【００３３】
また上述の実施形態では、１つの展示用具に１つのブレスレッドを配置する場合について述べたが、本考案はこれに限らず、１つの展示用具に複数のブレスレッドを配置するようにしてもよい。
【符号の説明】
【００３４】
１  ブレスレッド
２、１０、１０Ａ、１０Ｂ、１０Ｃ  展示用具
１１  本体部
１２  接続部
１３  底面
【図１】
0003184177.tif 000003
【図２】
0003184177.tif 000004
【図３】
0003184177.tif 000005
【図４】
0003184177.tif 000006
【図５】
0003184177.tif 000007
【図６】
0003184177.tif 000008